(57)【要約】【課題】ポンプ機構のヘッド部の変更を容易に可能とするようにした吐出容器用の吐出ポンプのヘッド部側モジュール及びポンプ部側モジュールを提案する。【解決手段】吐出ポンプのヘッド部側モジュールであって、装着筒６上端から内向きフランジ８を介して連結筒１０を起立する装着キャップ４と、中心部に貫通孔２０を有する天板１８の外側から外周壁２４を垂下し、その天板１８の裏面側に、第１嵌合溝２８と第２嵌合溝３０とを周設してなり、この第２嵌合溝３０内に装着キャップ４の連結筒１０の上部を嵌着させたカバーリング１６と、頂板３８の外側から外筒４０を、貫通孔２０上方の頂板裏面部分から第１の連通管４２をそれぞれ垂下するとともに、この第１の連通管４２と連通させて、外筒４０からノズル４４を前方へ突出してなり、外筒４０をカバーリング１６の外周壁２４の外面へ嵌着させた押下げヘッド３６とを有する。【選択図】図１
2010083554.tif 000002
【特許請求の範囲】
【請求項１】
容器体装着用のポンプ部側及びヘッド部側の２つのモジュールからなる吐出ポンプのうちのヘッド部側モジュールであって、
容器体口頸部の外面への嵌合用の装着筒６の上端から内向きフランジ８を介して連結筒１０を起立する装着キャップ４と、
中心部に貫通孔２０を開口する天板１８の外側から外周壁２４を垂下するとともに、その天板１８の裏面側に、内側の第１嵌合溝２８と、外側の第２嵌合溝３０とを２重に周設してなり、この第２嵌合溝３０内に上記装着キャップ４の連結筒１０の上部を嵌着させたカバーリング１６と、
頂板３８の外側から外筒４０を、また貫通孔２０上方の頂板裏面部分から第１の連通管４２を、それぞれ垂下するとともに、この第１の連通管４２と連通させて、上記外筒４０からノズル４４を前方へ突出してなり、上記外筒４０をカバーリング１６の外周壁２４の外面へ着脱自在に嵌着させた押下げヘッド３６とを具備し、
上記カバーリング１６の第１嵌合溝２８の内面を、ポンプ部側モジュールが有するポンプシリンダの上端部へ、また押下げヘッド３６の第１の連通管４２を、ポンプ部側モジュールのステム兼用の第２の連通管へ、ヘッド部側モジュールの押下げにより、それぞれ嵌め込み可能とし、さらに上記押下げにより上記装着キャップ４とカバーリング１６との連結が解除されるように構成したことを特徴とする、吐出容器用の吐出ポンプのヘッド部側モジュール。
【請求項２】
上記連結筒１０の全周に亘って、上記ヘッド部側モジュールの押下げにより破断可能な破断線１２を周設したことを特徴とする、請求項１記載の吐出容器用の吐出ポンプのヘッド部側モジュール。
【請求項３】
容器体装着用のポンプ部側及びヘッド部側の２つのモジュールからなる吐出ポンプのうちのポンプ部側モジュールであって、
容器体内への挿入用の周壁の上部外面から鍔部５８を突出したポンプシリンダ５２と、
ポンプシリンダ５２内を摺動するピストン部６６からステム兼用の第２の連通管６８へ起立した管状部材６４と、
上記ポンプシリンダ５２の下部に形成した吸込み弁５４と、
上記第２の連通管６８内の上部に形成した吐出弁７２と、
を具備し、
上記鍔部上方の筒壁部分と上記第２の連通管６８の上端部とを、ヘッド部側モジュールへの嵌挿代として略直筒形に形成するとともに、ポンプシリンダ５２内からピストン部６６が抜け出さないようにして、モジュール単独でポンプ機能を果たすようにしたことを特徴とする、吐出容器用の吐出ポンプのポンプ部側モジュール。
【発明の詳細な説明】
【技術分野】
【０００１】
本発明は、吐出容器用の吐出ポンプのヘッド部側モジュール及びポンプ部側モジュールに関する。
【背景技術】
【０００２】
従来、液体吐出容器用のポンプ機構として、上端部に鍔部を有するポンプシリンダ内を摺動するステムを上方へ起立し、このステムの上部にノズル付きの押下げヘッドを付設しており、さらに容器体口頸部への螺合用の装着筒の上端から、口頸部の上端面との間に鍔部を挟持するための内向きフランジを付設してなる装着キャップと、ステムの上部と内向きフランジとの間を覆うカバーリングを設けたものが知られている（特許文献１）。
【特許文献１】特許第３６５７３７８号
【発明の開示】
【発明が解決しようとする課題】
【０００３】
特許文献１の液体吐出用のポンプは、装着キャップ及びノズルヘッドなどのヘッド部の形状にバリエーションを持たせようとした場合に、ポンプ部のステムを装着キャップに挿通した上でカバーリングと組みつけてポンプを構成する機構としていたことから、ポンプ部からヘッド部側までの全構成を変更する必要があった。
【０００４】
本発明の目的は、ポンプ機構のヘッド部の変更を容易に可能とするようにした吐出容器用の吐出ポンプのヘッド部側モジュール及びポンプ部側モジュールを提案することにある。
【課題を解決するための手段】
【０００５】
第１の手段は、容器体装着用のポンプ部側及びヘッド部側の２つのモジュールからなる吐出ポンプのうちのヘッド部側モジュールであって、
容器体口頸部の外面への嵌合用の装着筒６の上端から内向きフランジ８を介して連結筒１０を起立する装着キャップ４と、
中心部に貫通孔２０を開口する天板１８の外側から外周壁２４を垂下するとともに、その天板１８の裏面側に、内側の第１嵌合溝２８と、外側の第２嵌合溝３０とを２重に周設してなり、この第２嵌合溝３０内に上記装着キャップ４の連結筒１０の上部を嵌着させたカバーリング１６と、
頂板３８の外側から外筒４０を、また貫通孔２０上方の頂板裏面部分から第１の連通管４２を、それぞれ垂下するとともに、この第１の連通管４２と連通させて、上記外筒４０からノズル４４を前方へ突出してなり、上記外筒４０をカバーリング１６の外周壁２４の外面へ着脱自在に嵌着させた押下げヘッド３６とを具備し、
上記カバーリング１６の第１嵌合溝２８の内面を、ポンプ部側モジュールが有するポンプシリンダの上端部へ、また押下げヘッド３６の第１の連通管４２を、ポンプ部側モジュールのステム兼用の第２の連通管へ、ヘッド部側モジュールの押下げにより、それぞれ嵌め込み可能とし、さらに上記押下げにより上記装着キャップ４とカバーリング１６との連結が解除されるように構成している。
【０００６】
本手段では、吐出ポンプをポンプ部とヘッド部とに分け、ヘッド部に相当する装着キャップ、カバーリング、押下げヘッドの３パーツをモジュール化することを提案している。
【０００７】
「ヘッド部」という言葉は、容器体に吐出ポンプを取り付けるときの形態において吐出ポンプの頭部に相当する部分という意味である。「ポンプ部」が全体として一つの機能を有するのに対して、「ヘッド部」を構成する各パーツの機能は別々である。別の言い方をすれば、機能に拘らずに組付け時に形態上で近接する位置にある各パーツを連係させ、一つのモジュールとしたことが本発明の特長の一つである。この特長によれば、第１の連通管、第１嵌合溝など、ポンプ部側モジュールと係り合う部分を各モジュール間で相対応する寸法、位置としておけば、それ以外の箇所は自由に設計することができる。これについてはさらに後述する。
【０００８】
「モジュール」という用語は、相互に着脱可能できる独立した構成単位という程度の意味である。一般には特定の機能を有する一群のパーツをモジュールとすることが多い。しかし、本明細書のヘッド部側モジュールでは、押下げヘッドは、ピストンを含む管状部材を昇降させる操作部、装着リングはポンプシリンダを容器体に装備させる固定部、カバーリングは、ポンプシリンダの上部を塞ぐカバーであり、機能的には別個である。また、ヘッド部側モジュールが一まとまりの状態（本明細書において「モジュール化状態」という）にあるのは、ポンプ部側モジュールに組み付ける前までである。組み付けた後ではモジュール化状態は解除される。
【０００９】
「カバーリング」は、裏面に第１、第２の嵌合溝を有し、モジュール化状態では、第２嵌合溝内に嵌着された連結筒を介して装着リングに連結されている。モジュール化状態解除後には第１嵌合溝内にポンプシリンダの上部に嵌着することが可能に形成されている。
【００１０】
「連結筒」は、装着キャップとカバーリングとを簡易に連結する手段である。好適な図示例において、図３に示す如く連結筒は円筒形であり、位置決めなどの操作をしなくても、カバーリングの第２嵌合溝内に嵌合することができる。また、図示例では、連結筒を装着キャップの他の部分と一体として形成しており、部品数を増やすことなく、モジュール化をすることができる。
【００１１】
第２の手段は、第１の手段を有し、かつ
上記連結筒１０の全周に亘って、上記ヘッド部側モジュールの押下げにより破断可能な破断線１２を周設している。
【００１２】
本手段では、連結筒に破断線を形成することを提案している。この破断線は、上記連結筒の上部を第２嵌合溝内に挿入するときに破断しない程度の強度を有することが望ましい。後述の好適な実施例では、例えば図７に示す如く、連結筒の下端部外縁と内向きフランジとの間に破断線を形成して、破断線を効果的に破壊できるようにしている。すなわち、連結筒の下端面側には押下げ力に抵抗するような物が存在しないため、上記押下げにより押下げ力が破断線に集中し、図９に示す如く容易に破断する。
【００１３】
第３の手段は、容器体装着用のポンプ部側及びヘッド部側の２つのモジュールからなる吐出ポンプのうちのポンプ部側モジュールであって、
容器体内への挿入用の周壁の上部外面から鍔部５８を突出したポンプシリンダ５２と、
ポンプシリンダ５２内を摺動するピストン部６６からステム兼用の第２の連通管６８へ起立した管状部材６４と、
上記ポンプシリンダ５２の下部に形成した吸込み弁５４と、
上記第２の連通管６８内の上部に形成した吐出弁７２と、
を具備し、
上記鍔部上方の筒壁部分と上記第２の連通管６８の上端部とを、ヘッド部側モジュールへの嵌挿代として略直筒形に形成するとともに、ポンプシリンダ５２内からピストン部６６が抜け出さないようにして、モジュール単独でポンプ機能を果たすようにしている。
【００１４】
本手段では、ポンプ機構のうちポンプ部だけをモジュール化することを提案している。ここで「ポンプ部」とは、少なくともポンプシリンダとピストンとを含み、かつピストンから起立するステム兼連通管を有するものとする。
【発明の効果】
【００１５】
第１の手段に係る発明によれば、次の効果を奏する。
吐出ポンプのうち、装着キャップ、カバーリング、押下げヘッドの３パーツをモジュール化したから、これらヘッド部の形状の設計を、ポンプ部の構造とは無関係に行うことができ、設計変更が容易となり、多品種少量生産にも対応し易い。
装着キャップとカバーリングとを連結筒を介して連結したから、簡単な構造でモジュール化を実現することができるとともに、ヘッド部側モジュールの押下げの１動作により、その連結の解除とポンプ部側モジュールの合体とが可能だから、取り扱いが簡単である。
【００１６】
第２の手段に係る発明によれば、連結筒１０の全周に亘って破断線を周設することで、この破断線がヘッド部側モジュールの押下げにより破断するように形成したから、簡単な構造で装着キャップ４とカバーリング１６とを分離することができる。
【００１７】
第３の手段に係る発明によれば、ポンプ機構のうちポンプシリンダ及び管状部材からなるポンプ部だけをモジュール化し、かつポンプ機能を果すようにしたから、このポンプ部側モジュールのみを製造し、品質試験をすることができ、製品化の手間が大幅に簡素化される。
【発明を実施するための最良の形態】
【００１８】
図１から図９は、本発明の第１実施形態に係るヘッド部側モジュール及びポンプ部側モジュールを示している。
【００１９】
ヘッド部側モジュール２は、図１から図３に示す構造を有し、装着キャップ４と、カバーリング１６と、押下げヘッド３６とで形成されている。
【００２０】
上記装着キャップ４は、図２に示す如く容器体の口頸部外面への螺合用の装着筒６と、この装着筒の上端部に付設した内向きフランジ８と、この内向きフランジ８の内縁から起立する連結筒１０とで形成する。内向きフランジ８の内縁と連結筒１０の下端外縁との間には図３及び図７に示す如く破断線１２を形成している。図示例の破断線は、破断可能なリブ１２ａを間欠的に残して複数のスリットを穿設してなるが、破断可能な肉薄線としてもよい。また、破断線の形成箇所は連結筒の下端に限らない。例えば、連結筒の長手方向一部を残りの筒部分よりも大径とし、両筒部の連続部分に破断線を穿設しても構わない。図２に示すように連結筒１０の上半部１０ｂは下半部１０ａに比べて小内径の肉厚部に形成されている。
【００２１】
上記カバーリング１６は、半断面図である図４に示す如く、中央部に貫通孔２０を開口するリング状の天板１８を有する。図示例では、この天板１８の内縁から足の長い内周壁２２を、また、天板１８の外縁から足の短い外周壁２４をそれぞれ垂下している。そして内周壁２２の内面全体を貫通孔２０としている。外周壁２４は、下半部２４ａを上半部２４ｂに比べて大径としており、この上半部の外面にネジを形成している。また天板１８の裏面やや外側寄りから仕切り用の中間周壁２６を垂下しており、この中間周壁の内側に第１嵌合溝２８を、中間周壁の外側に第２嵌合溝３０を周設している。図示例の場合には、内周壁２２と中間周壁２６との間隔がやや大きいため、内周壁よりやや外側に補助壁３２を形成し、この補助壁３２と中間周壁２６との間に第１嵌合溝２８を形成する。また、中間周壁２６と外周壁の上半部２４ｂとの間に第２嵌合溝３０を形成している。また図示の中間周壁は、下半部２６ａに比べて上半部２６ｂの内径をやや小径にしている。この中間周壁の上半部２６ｂが連結筒の上半部１０ｂ内面に密着することで第２嵌合溝３０からの連結筒１０の抜け出しを防止している。なお、上記構造に加え、中間周壁２６の上半部２６ｂの外径もやや小径として、中間周壁２６の下半部２６ａが連結筒の下半部１０ａに密着する構造を採用することも可能であり、この場合、中間周壁と連結筒とがアンダーカット係合する状態となり、モジュール化状態での装着キャップ４とカバーリング１６との連結状態を強固なものとすることができる。
【００２２】
押下げヘッド３６は、頂板３８の外周部から外筒４０を、また貫通孔上方の頂板部分裏面から第１の連通管４２をそれぞれ垂下するとともに、この第１の連通管の内部と連通させたノズル４４を外筒４０の前壁から前方へ突出している。そして上記外筒４０の下部は、カバーリング１６の外周壁２４の上半部２４ｂ外面に螺合させている。また、上記第１の連通管４２は、上記貫通孔２０内を液密かつ摺動自在に嵌通し、下方へ突出している。
【００２３】
ポンプ部側モジュール５０は、図５に示す如くポンプシリンダ５２と、管状部材６４と、抜止め手段７６とを有する。
【００２４】
上記ポンプシリンダ５２は、その下端から吸込み弁５４を介して吸込み管５６を垂下するとともに、ポンプシリンダの上部外面から、容器体の口頸部上端面への係止用の鍔部５８を外方へ突出している。鍔部５８よりも上方へは、ポンプシリンダの上端部５２ａを第１嵌合溝内への嵌合筒として延長している。この上端部の外面には、上記カバーリングの中間周壁下半部２６ａに圧接するための当接リブ６０を横設している。なお、前記鍔部５８の下面には容器体への組み付け時に容器体口頸部上端面に当接シールするパッキンが配置されている。
【００２５】
上記管状部材６４は、筒状のピストン部６６からステム兼用の第２の連通管６８を起立している。上記ピストン部６６とポンプシリンダ５２の底部との間にスプリングを介装している。また第２の連通管６８の中間部やや下寄りには第１上向き段部７０を、第２の連通管の上部外面には第２上向き段部７１をそれぞれ周設している。さらに第２の連通管６８の上部には吐出弁７２を形成する。図示の吐出弁は玉弁であり、弁座と管状部材の上端内面に周設した横リブとの間で動くように形成している。
【００２６】
上記抜止め手段７６は、本実施形態では抜止め筒であり、ポンプシリンダの上部内面に嵌着された筒本体の内面から縦断面逆Ｌ字形の係止片７８を突出し、この係止片を上記管状部材６４の第１上向き段部に係止している。
【００２７】
上記構成において、図１の状態では、装着キャップ４は連結筒１０を介してカバーリング１６に連結され、またカバーリングは押下げヘッド３６に嵌合されているから、これらパーツは、１つのモジュールとして一体的に取り扱うことが可能である。図５の状態でも、抜止め手段７６がスプリング力に抗して管状部材６４の抜け出しを防止しているから、ポンプシリンダ５２及び管状部材６４は、モジュール化されている。このモジュール化状態で、ポンプの機能を確認することができる。図５のポンプ部側モジュール５０の上部に図１のヘッド部側モジュール２の下面を合わせて、押し下げると、図６に示すように第１の連通管４２は、第２の連通管６８の外面に嵌挿され、図６に示すように第２上向き段部７１に突き当たる。ポンプシリンダの上端部５２ａは第１嵌合溝２８内に圧入される。このようにすることで、連結筒１０は、カバーリング１６の中間周壁２６と外周壁２４との間に強く挟持される。この挟持状態で図６に示す押下げヘッド３６をさらに押し下げると、図８及び図９に示すように連結筒１０が強制的に押し下げられ、破断線１２が破断する。この破断により装着キャップ４とカバーリング１６との連結は解除される。連結の解除と同時にポンプシリンダの上端部５２ａは第１嵌合溝２８内に深く入り、カバーリング１６とポンプシリンダ５２とを相互に結合する。この後は普通の吐出ポンプとして使用することができる。
【００２８】
以下本発明の他の実施形態を説明する。その説明において、第１実施形態と同じ構成に関しては、同一の符号を用いることで解説を省略する。
【００２９】
図１０から図１２は本発明のヘッド部側モジュール及びポンプ部側モジュールの第２実施形態を示している。この実施形態は、各モジュールの形状のバリエーションの例を示すものである。まずポンプ部側モジュール５０では、ステム兼第２の連通管６８の外面に補助筒８０を嵌合させたものである。補助筒８０の下端にはピストン状突部８２を形成し、これをポンプシリンダの内面に摺動可能に当接したものである。これによりポンプ部側モジュールとヘッド部側モジュールの組み付け状態でポンプシリンダ周壁に開口する負圧解除用孔を前記ピストン状突部８２で塞ぐことができ、吐出ポンプを容器体に組み付けた状態での該負圧解除用孔からの液漏れを防止することができる。補助筒８０の下端面は第２連通管の第１上向き段部７０に係合されている。この実施形態では、補助筒の抜け出し防止の手段を講ずればよく、図１１に示す状態で、ピストン状突部の上端に当接する抜け止め手段７６がポンプシリンダの上部内面に嵌着されている。また、ヘッド部側モジュール２では、カバーリングの天板内縁を大きく形成して、この内縁に上記補助筒８０が係合するように形成している。これにより、補助筒８０は、押下げヘッドのカバーリングとの螺合状態解除時の第２連通管の上昇と共に上昇し、ポンプシリンダの負圧解除用孔を開口することになる。
【００３０】
以上が本実施形態と第１実施形態との主要な相違である。その他にも押下げヘッドの形状、カバーリングの外周壁の形状など細かい相違があるが、これらは様々なバリエーションを付けることができることを示すための例に過ぎないので、説明を省略する。
【００３１】
本発明では、相違点よりもむしろ共通点に重点がある。即ち、第１の連通管の内径と第２の連通管の外径、第１嵌合溝の径・位置・深さなどはおおよそ一致する。このため、第１実施形態のポンプ部側モジュールと第２実施形態のヘッド部側モジュールとの組み合わせ、或いは第２実施形態のポンプ部側モジュールと第１実施形態のヘッド部側モジュールとの組み合わせなども可能となる。このように両モジュールの接続部分を規格化し、共通の形態とすれば、それ以外の形状の設計変更は自由である。ゆえに吐出ポンプの構造のうち変更したい部分だけをモジュール単位で変更し、それを既存の他のモジュールと組み合わせることで非常の多数の製品を短期に実現することができるのである。
【図面の簡単な説明】
【００３２】
【図１】本発明の第１実施形態に係るヘッド部側モジュールの半縦断面図である。
【図２】図１のモジュールの要部の装着キャップの半縦断面図である。
【図３】図２の要部の平面図である。
【図４】図１のモジュールの要部のカバーリングの半縦断面図である。
【図５】本実施形態に係るポンプ部側モジュールの半縦断面図である。
【図６】図１のヘッド部側モジュール及び図５のポンプ部側モジュールを合体させてなる吐出ポンプの半縦断面図である。
【図７】図６の吐出ポンプの要部拡大図である。
【図８】図６の吐出ポンプを押し下げた状態を示す作用説明図である。
【図９】図８の状態に対応する要部拡大図である。
【図１０】本発明の第２実施形態に係るヘッド部側モジュールの半縦断面図である。
【図１１】本実施形態に係るポンプ部側モジュールの半縦断面図である。
【図１２】図１０のヘッド部側モジュール及び図１１のポンプ部側モジュールを合体させてなる吐出ポンプを押し下げた状態で示す半縦断面図である。
【符号の説明】
【００３３】
２…ヘッド部側モジュール  ４…装着キャップ  ６…装着筒
８…内向きフランジ  １０…連結筒  １０ａ…同下半部  １０ｂ…同上半部
１２…破断線  １２ａ…間欠リブ
１６…カバーリング  １８…天板  ２０…貫通孔  ２２…内周壁  ２４…外周壁
２４ａ…下半部  ２４ｂ…上半部  ２６…中間周壁  ２６ａ…同下半部
２６ｂ…同上半部  ２８…第１嵌合溝  ３０…第２嵌合溝  ３２…補助壁  
３６…押下げヘッド  ３８…頂板  ４０…外筒  ４２…第１の連通管  
４４…ノズル
５０…ポンプ部側モジュール  ５２…ポンプシリンダ  ５２ａ…同上端部
５４…吸込み弁  ５６…吸込み管  ５８…鍔部  ６０…当接リブ
６４…管状部材  ６６…ピストン部  ６８…第２の連通管  ７０…第１上向き段部
７１…第２上向き段部  ７２…吐出弁
７６…抜止め手段  ７８…係止片  ８０…補助筒
【図１】
2010083554.tif 000003
【図２】
2010083554.tif 000004
【図３】
2010083554.tif 000005
【図４】
2010083554.tif 000006
【図５】
2010083554.tif 000007
【図６】
2010083554.tif 000008
【図７】
2010083554.tif 000009
【図８】
2010083554.tif 000010
【図９】
2010083554.tif 000011
【図１０】
2010083554.tif 000012
【図１１】
2010083554.tif 000013
【図１２】
2010083554.tif 000014